(57)【要約】【課題】本発明は、少なくとも所定の情報を表示させた担体構成紙片が剥離自在に接着される情報担体およびその製造方法に関し、秘匿情報等の視認後に保管管理を容易とすることを目的とする。【解決手段】第１紙片１２〜第４紙片１５の四紙片がジグザク状に重ね合わされたもので、第１紙片１２および第２紙片１３が所定条件下で剥離自在に接着させる擬似接着層１６が介在され、第２紙片１３〜第４紙片１５間に接着層１７，１８が介在され、最後紙片である第４紙片１５の所定部分に切り取り自在な所定大の切取部１５Ａを形成させて当該切取部１５Ａが形成された部分に上記接着層１８に対向して剥離剤層１９を形成させる構成とする。【選択図】  図１
2005103896.tif 000002
【特許請求の範囲】
【請求項１】
少なくとも３紙片のシートが重ね合わされ、そのうちの少なくとも２紙片が所定条件下で剥離自在に接着させる擬似接着層を介在させて接着される情報担体であって、
前記剥離自在な２紙片以外の最後紙片が重ね合わせの対向紙片に接着層で接着されるもので、当該最後紙片の所定部分に切り取り自在な所定大の切取部が形成され、当該切取部が形成された部分に上記接着層に対向して剥離剤層が形成されることを特徴とする情報担体。
【請求項２】
請求項１記載の情報担体であって、前記最後紙片の切取部以外の部分に切り取り自在なラベル部が形成され、当該ラベル部が形成される部分に前記対向紙片側に接着層が形成されると共に、当該対向紙片の上記ラベル部の接着層に対向する部分に前記接着層に代えて剥離剤層が形成されることを特徴とする情報担体。
【請求項３】
第１紙片から第４紙片の連続シートがジグザグ折りされ、第１紙片および第２紙片が所定条件下で剥離自在に接着させる擬似接着層を介在させて接着される情報担体であり、最後紙片となる第４紙片の所定部分に切取部が形成されて、当該切取部が切り取られた後の当該情報担体に接着層が表出される情報担体の製造方法であって、
前記連続シートにおけるジグザグ折りの後に最後紙片となる第４紙片の所定部分には前記切取部を形成させるための切り取り線が予め形成されており、当該連続シートにおける第１紙片および第２紙片の一方面に前記擬似接着層が形成されるステップと、
前記連続シートの、前記擬似時接着層をも対象とする所定部分に、所定情報が形成されるステップと、
前記擬似接着層が形成された第１紙片および第２紙片を、当該擬似接着層同士を対向させて擬似接着させるステップと、
前記第２紙片の他方面とこれに連続する第３紙片の連続面の少なくとも１面に接着層が形成されるステップと、
前記接着層が形成された第２紙片および第３紙片を接着させるステップと、
前記第３紙片の他方面に接着層が少なくとも形成され、当該形成された接着層と連続する第４紙片の連続面であり、当該第４紙片に形成された前記切取部以外の部分に剥離剤層が形成されるステップと、
前記接着層が形成された第３紙片および前記剥離剤層が形成された第４紙片を、当該接着層と剥離剤層とを対向させて接着させるステップと、
を含むことを特徴とする情報担体の製造方法。
【請求項４】
第１紙片から第３紙片の連続シートがジグザグ折りされ、第１紙片および第２紙片が所定条件下で剥離自在に接着させる擬似接着層を介在させて接着される情報担体であり、最後紙片となる第３紙片の所定部分に切取部が形成されて、当該切取部が切り取られた後の当該情報担体に接着層が表出される情報担体の製造方法であって、
前記連続シートにおけるジグザグ折りの後に最後紙片となる第３紙片の所定部分には前記切取部を形成させるための切り取り線が予め形成されており、当該連続シートにおける第１紙片および第２紙片の一方面に前記擬似接着層が形成されるステップと、
前記連続シートの、前記擬似時接着層をも対象とする所定部分に、所定情報が形成されるステップと、
前記擬似接着層が形成された第１紙片および第２紙片を、当該擬似接着層同士を対向させて擬似接着させるステップと、
前記第２紙片の他方面に接着層が少なくとも形成され、当該形成された接着層と連続する第３紙片の連続面であり、当該第３紙片に形成された前記切取部以外の部分に剥離剤層が形成されるステップと、
前記接着層が形成された第２紙片および前記剥離剤層が形成された第３紙片を、当該接着層と剥離剤層とを対向させて接着させるステップと、
を含むことを特徴とする情報担体の製造方法。
【発明の詳細な説明】
【技術分野】
【０００１】
本発明は、少なくとも所定の情報を表示させた担体構成紙片が剥離自在に接着される情報担体およびその製造方法に関する。
【背景技術】
【０００２】
近年、例えば葉書において、秘匿情報を印字、印刷して剥離自在な擬似接着層を介在させて重ね合わせるものが普及している。このような葉書等の情報担体の使用時の便利性が向上されることが望まれている。
【０００３】
上記のような情報担体（葉書）の構成として、下記の特許文献等で開示されている。下記の特許文献１には、ラベル付き葉書としてシートの表裏両面に所定条件下で接着して剥離自在な擬似接着剤が塗布され、当該擬似接着剤層上に秘匿情報や表示情報が印字、印刷されてジグザグ状に３つ折り（Ｚ折り）したものが示されている。
【０００４】
また、下記の特許文献２には、四紙片をＷ状に折り重ねる重ね合わせ葉書用シートが示され、二紙片の貼着片の間に二紙片の葉書本体片を配置し、一方の貼着片のＷ折りするときに外方に表出する片面を宛名情報記載面とし、当該記載面と同一表出面側に葉書表示を有する葉書表示片部を一方の貼着片に設けてＷ折りするときの葉書表示片部と葉書本体片との重ね合わせ面それぞれに強接着面を設けることが示されている。
【０００５】
【特許文献１】特開平１０−１５１８８２号公報
【特許文献２】特開２０００−７１６５１号公報
【発明の開示】
【発明が解決しようとする課題】
【０００６】
ところで、上記の特許文献等に記載されている葉書等の情報担体は、受取人が擬似接着層部分を剥離しながら所定紙片を開き、そこに表示されている秘匿情報等を視認するものであるが、見た後は紛失しやすい大きさのものである。特に、後にその葉書を必要とする重要な情報が記載されているものは、当日までに管理しやすい状態にあることが望ましいものである。
【０００７】
そこで、本発明は上記課題に鑑みなされたもので、秘匿情報等の視認後に保管管理を容易とする情報担体およびその情報担体の製造方法を提供することを目的とする。
【課題を解決するための手段】
【０００８】
上記課題を解決するために、請求項１の発明では、少なくとも３紙片のシートが重ね合わされ、そのうちの少なくとも２紙片が所定条件下で剥離自在に接着させる擬似接着層を介在させて接着される情報担体であって、前記剥離自在な２紙片以外の最後紙片が重ね合わせの対向紙片に接着層で接着されるもので、当該最後紙片の所定部分に切り取り自在な所定大の切取部が形成され、当該切取部が形成された部分に上記接着層に対向して剥離剤層が形成される構成とする。
【０００９】
請求項２の発明では、前記最後紙片の切取部以外の部分に切り取り自在なラベル部が形成され、当該ラベル部が形成される部分に前記対向紙片側に接着層が形成されると共に、当該対向紙片の上記ラベル部の接着層に対向する部分に前記接着層に代えて剥離剤層が形成される構成である。
【００１０】
請求項３の発明では、第１紙片から第４紙片の連続シートがジグザグ折りされ、第１紙片および第２紙片が所定条件下で剥離自在に接着させる擬似接着層を介在させて接着される情報担体であり、最後紙片となる第４紙片の所定部分に切取部が形成されて、当該切取部が切り取られた後の当該情報担体に接着層が表出される情報担体の製造方法であって、前記連続シートにおけるジグザグ折りの後に最後紙片となる第４紙片の所定部分には前記切取部を形成させるための切り取り線が予め形成されており、当該連続シートにおける第１紙片および第２紙片の一方面に前記擬似接着層が形成されるステップと、前記連続シートの、前記擬似時接着層をも対象とする所定部分に、所定情報が形成されるステップと、前記擬似接着層が形成された第１紙片および第２紙片を、当該擬似接着層同士を対向させて擬似接着させるステップと、前記第２紙片の他方面とこれに連続する第３紙片の連続面の少なくとも１面に接着層が形成されるステップと、前記接着層が形成された第２紙片および第３紙片を接着させるステップと、前記第３紙片の他方面に接着層が少なくとも形成され、当該形成された接着層と連続する第４紙片の連続面であり、当該第４紙片に形成された前記切取部以外の部分に剥離剤層が形成されるステップと、前記接着層が形成された第３紙片および前記剥離剤層が形成された第４紙片を、当該接着層と剥離剤層とを対向させて接着させるステップと、を含む構成とする。
【００１１】
請求項４の発明では、第１紙片から第３紙片の連続シートがジグザグ折りされ、第１紙片および第２紙片が所定条件下で剥離自在に接着させる擬似接着層を介在させて接着される情報担体であり、最後紙片となる第３紙片の所定部分に切取部が形成されて、当該切取部が切り取られた後の当該情報担体に接着層が表出される情報担体の製造方法であって、前記連続シートにおけるジグザグ折りの後に最後紙片となる第３紙片の所定部分には前記切取部を形成させるための切り取り線が予め形成されており、当該連続シートにおける第１紙片および第２紙片の一方面に前記擬似接着層が形成されるステップと、前記連続シートの、前記擬似時接着層をも対象とする所定部分に、所定情報が形成されるステップと、前記擬似接着層が形成された第１紙片および第２紙片を、当該擬似接着層同士を対向させて擬似接着させるステップと、前記第２紙片の他方面に接着層が少なくとも形成され、当該形成された接着層と連続する第３紙片の連続面であり、当該第３紙片に形成された前記切取部以外の部分に剥離剤層が形成されるステップと、前記接着層が形成された第２紙片および前記剥離剤層が形成された第３紙片を、当該接着層と剥離剤層とを対向させて接着させるステップと、を含む構成とする。
【発明の効果】
【００１２】
本発明によれば、少なくとも３紙片のシートが重ね合わされ、そのうちの少なくとも２紙片が所定条件下で剥離自在に接着させる擬似接着層を介在させて接着されるもので、剥離自在な２紙片以外の最後紙片を重ね合わせの対向紙片に形成した接着層で接着させ、当該最後紙片の所定部分に切り取り自在な所定大の切取部を形成させて当該切取部が形成された部分に上記接着層に対向して剥離剤層を形成させる情報担体とすることにより、切取部を切り取った後に表出される接着層で情報担体を所定部所に貼り付け可能となり、秘匿情報等の視認後に保管管理を容易とさせることができるものである。
【発明を実施するための最良の形態】
【００１３】
以下、本発明の最良の実施形態を図により説明する。本実施形態では、情報担体として葉書を例として説明するが、定型外郵送物、配送物等においても適用することができるものである。
【００１４】
図１に、本発明の第１実施形態に係る情報担体の構成図を示す。図１（Ａ）は平面構成図、図１（Ｂ）は図１（Ａ）のＡ−Ａ断面図である。図１（Ａ）、（Ｂ）において、情報担体である葉書１１は、連続した第１紙片１２〜第４紙片１５がジグザグ折りされた状態で構成される。この場合、最後紙片となる第４紙片１５の所定部分に切取部１５Ａが形成される。
【００１５】
第１紙片１２と第２紙片１３とには擬似接着層１６が介在され、第２紙片１３と第３紙片１４とには接着層１７が介在される。また、第３紙片１４と第４紙片１５とには接着層１８が介在されるが、当該第４紙片１５に形成された切取部１５Ａの部分に剥離剤層１９が介在される。すなわち、切取部１５Ａ部分では、剥離剤層１９と接着層１８とは２層状態となるものである。
【００１６】
ここで、図２に、図１に示す情報担体の展開状態の説明図を示す。図２（Ａ）は展開した葉書１１の一方面（例えば表面とする）の展開図、図２（Ｂ）は展開した葉書１１の他方面（例えば裏面とする）の展開図、図２（Ｃ）はジグザク状に重ね折りされて葉書１１とされた概略斜視図である。
【００１７】
図２（Ａ）において、第１紙片１２は、他の第２紙片１３〜第４紙片１５に比べて横幅を短長とされ、当該第１紙片１２が第２紙片１３に折り重ねられたときに、当該第２紙片１３の他方面に印字、印刷された「郵便はがき」の情報が表出される。そして、第２紙片１３〜第４紙片１５の寸法を郵便法に沿った長さとすることによって、当該郵便法に合致した葉書１１となるものである。
【００１８】
上記第１紙片１２と第２紙片１３との境界には折込線２１が形成され、第２紙片１３と第３紙片１４との境界には折込線２２が形成されると共に、第３紙片１４と第４紙片１５との境界には折込線２３が形成される。そして、第４紙片１５の切取部１５Ａとなる部分には切取線２４が形成されることによって当該切取部１５Ａを切り取り自在とするものである。
【００１９】
そこで、表面において、例えば第１紙片１２の一方面（擬似接着剤が塗布される面と反対面）に宛名情報等が印字、印刷され、例えば第４紙片１５の切取部１５Ａに例えば「この部分を剥がして壁などに貼ることができます」などの情報が印字、印刷される。そして、第２紙片１３と第３紙片１４の連続面には接着剤が塗布されて接着層１７が形成される。この接着層１７を形成する接着剤は、通常の状態では接着することなく所要の接着条件を付与することで剥離困難な接着力を呈するように調整された接着剤であり、例えば天然ゴムや天然ゴムラテックスとを主材料としたものである。なお、この接着剤を後述の擬似接着剤で剥離力を強く設定したものであってもよい。
【００２０】
一方、裏面においては、図２（Ｂ）に示すように、第１紙片１２および第２紙片１３の裏面の連続面には、例えば所定の条件下で剥離自在に接着させる擬似接着剤が塗布されて擬似接着層１６が形成され、第３紙片１４および第４紙片１５の裏面の連続面には上記のような接着層１８が形成されるが、当該第４紙片１５に形成された切取部１５Ａの部分に剥離剤層１９が形成される。そして、第１紙片１２と第２紙片１３とには、上記形成されている擬似接着層１６上に所定情報（例えば秘匿情報）や重ね折りされたときに表出される上述の「郵便はがき」の情報が印字、印刷される。
【００２１】
ここで、上記擬似接着層１６は、通常の状態では接着することなく所定条件下（例えば所定圧力）で剥離自在に接着されるもので、例えば天然ゴムは天然ゴムラテックス等を主原料とする接着剤にシリカ、デンプン、コーンスターチ等の微粒状充填剤を充填したもので、当該微粒状充填剤の添加量によって接着力、剥離力が調整されるものである。なお、擬似接着層１６として、２層のフィルムが剥離可能に接着され、その両面に粘着剤が塗布された擬似接着フィルムを使用することもできるもので、当該擬似接着フィルムを使用する場合には上記情報の印字印刷を第１紙片１２および第２紙片１３上に行った後に当該擬似接着フィルムが貼付されるものである。また、上記剥離剤層１９を形成する剥離剤には、例えばシリコーン剤等のような高分子物質がある。
【００２２】
そして、図２（Ｃ）に示すように、上記第１紙片１２と第２紙片１３とが擬似接着層１６同士を対向させて折込線２１で重ね折りされ、第２紙片１３と第３紙片１４とが接着層１７同士を対向させて折込線２２で重ね折りされ、第３紙片１４と第４紙片１５とが接着層１８同士を対向させて折込線２３で重ね折りされるものである。そして、切取部１５Ａは切取線２４によって切り取られたときに、当該部分に接着層１８の部分が表出され、貼付自在となるものである。
【００２３】
次に、図３および図４に、本発明に係る情報担体製造の一例の説明図を示す。ここでは、第１紙片１２〜第４紙片１５で構成される連続シートには、最後紙片の第４紙片１５となる部分に切取部１５Ａとするための切取線２４が形成されている。また、図では上方を表面（一方面）、下方を裏面（他方面）としている。
【００２４】
まず、第１紙片１２と第２紙片１３との裏面の連続面に擬似接着層１６が形成され（図３（Ａ））、第１紙片１２の表面、第１紙片１２および第２紙片１３の裏面の擬似接着層１６上および第４紙片１５の切取部１５Ａの裏面に上述のような表示情報３１が印字、印刷される（図３（Ｂ））。そこで、第１紙片１２と第２紙片１３とが擬似接着層１６同士を対向させて折込線２１で重ね折りされる（図３（Ｃ））。そして、第２紙片１３および第３紙片１４との表面の連続面に接着層１７が形成される（図３（Ｄ））。
【００２５】
続いて、第２紙片１３と第３紙片１４とが接着層１７同士を対向させて折込線２２で重ね折りされ（図４（Ａ））、第３紙片１４と適宜第４紙片１５の切取部１５Ａを除く部分とに接着層１８が形成される（図４（Ｂ））。また、第４紙片１５の切取部１５Ａの裏面に剥離剤層１９が形成される（図４（Ｃ））。そして、第３紙片１４と第４紙片１５とが接着層１８同士を対向させて折込線２３で重ね折りされるものである（図４（Ｄ））。
【００２６】
なお、図４（Ｂ）、（Ｃ）において、接着層１８を形成した後に、剥離剤層１９を形成させた場合を示したが、先に剥離剤層１９を形成した後に接着層１８を形成することとしてもよいものである。また、図４（Ｂ）において、第４紙片１５に接着層１９を形成させないようにしてもよい。
【００２７】
そこで、図５に、本発明に係る情報担体の使用例の説明図を示す。図５（Ａ）において、上述のような葉書１１が投函され、宛先人に届いた後、第４紙片１５の切取部１５Ａが剥離剤層１９によって切取線２４より切り取られると接着層１８が表出されることとなる。そして、図５（Ｂ）に示すように、当該葉書１１をそのまま、または第１紙片１２を見開くように剥離させて秘匿情報を視認した後、当該表出した接着層１８によって所定の被着物４１に貼り付けることができるものである。
【００２８】
このように、切取部１５Ａを切り取った後に表出される接着層１８で葉書１１本体を所定部所に貼り付けることが可能となり、秘匿情報等の視認後に保管管理を容易とさせることができるものである。特に、後にその葉書を必要とする重要な情報が記載されているものは、当日までに管理しやすい状態とさせるものである。
【００２９】
次に、図６に、本発明に係る情報担体製造の他の製造例の説明図を示す。図６は、図４に対応したものであり、それ以前の図３に対応した部分は同一であって説明を省略する。すなわち、図３（Ｄ）の状態から、第２紙片１３と第３紙片１４とが接着層１７同士を対向させて折込線２２で重ね折りされる（図６（Ａ））。そこで、第４紙片１５の切取部１５Ａの裏面に剥離剤層１９が形成され（図６（Ｂ））、第３紙片１４と第４紙片１５（剥離剤層１９を含む）とに接着層１８が形成され（図４（Ｃ））、第３紙片１４と第４紙片１５とが接着層１８同士を対向させて折込線２３で重ね折りされるものである（図６（Ｄ））。
【００３０】
このように、葉書１１を作製することによっても、上記同様に、切取部１５Ａを切り取った後に表出される接着層１８で葉書１１本体を所定部所に貼り付けることが可能となり、秘匿情報等の視認後に保管管理を容易とさせることができるものである。
【００３１】
次に、図７に、本発明の第２実施形態に係る情報担体の構成図を示す。図７（Ａ）は平面構成図、図７（Ｂ）は図７（Ａ）のＢ−Ｂ断面図、図７（Ｃ）は葉書の概略斜視図である。図７（Ａ）、図７（Ｂ）において、情報担体である葉書５１は、連続した第１紙片１２〜第４紙片１５がジグザグ折りされた状態で構成されることは図１の葉書１１と同様である。この場合、最後紙片となる第４紙片１５の所定部分に切取部１５Ａおよびラベル１５Ｂが切取線２４によって形成される。
【００３２】
すなわち、第１紙片１２と第２紙片１３とには擬似接着層１６が介在され、第２紙片１３と第３紙片１４とには接着層１７が介在される。また、第３紙片１４と第４紙片１５とには接着層１８が介在されるが、当該第４紙片１５に形成された切取部１５Ａの部分に剥離剤層１９Ａが介在され、形成されたラベル１５Ｂの部分に対向する第３紙片１４の部分に剥離剤層１９Ｂが介在される。すなわち、切取部１５Ａ部分では、剥離剤層１９Ａと接着層１８とが２層状態となり、ラベル１５Ｂの部分では、接着層１８と剥離剤層１９Ｂとが２層状態となるものである。
【００３３】
そして、図７（Ｃ）に示すように、第１紙片１２と第２紙片１３とが擬似接着層１６同士を対向させて折込線２１で重ね折りされ、第２紙片１３と第３紙片１４とが接着層１７同士を対向させて折込線２２で重ね折りされ、第３紙片１４と第４紙片１５とが接着層１８同士を対向させて折込線２３で重ね折りされるものである。そして、切取部１５Ａは切取線２４によって切り取られたときに、当該部分に接着層１８の部分が表出されて貼付自在となると共に、ラベル１５Ｂが切り取られて他の被着物に貼付自在となるものである。
【００３４】
このように、ラベル１５Ｂを含ませることができるもので、基本的には上記同様に切取部１５Ａを切り取った後に表出される接着層１８で葉書１１本体を所定部所に貼り付けることが可能となり、秘匿情報等の視認後に保管管理を容易とさせることができるものである。
【００３５】
ところで、上記第１および第２実施形態では、葉書１１，５１を第１紙片１２〜第４紙片１５の連続した四紙片で構成した場合を示したが、第１紙片１２〜第３紙片１４の連続した三紙片をジグザグ折り（Ｚ折り）させても同様である。この場合、最後紙片が第３紙片となり、接着層１７が省略された形態となる。また、上記第１および第２実施形態では、葉書１１，５１を第１紙片１２〜第４紙片１５の連続した四紙片で構成した場合を示したが、連続しない枚葉の第１紙片１２〜第４紙片１５の四紙片で構成させてもよく、また上記のように連続しない枚葉の第１紙片１２〜第３紙片１４の三紙片で構成させてもよい。
【００３６】
さらに、葉書１１，５１を作製するに際して、各紙片の表裏両面に先に擬似接着層を塗布した形態より順次接着層１７，１８や剥離剤層１９を形成することとしてもよいものである。さらにまた、上記形成される接着層１７，１８は、強接着の接着剤よる粘着強度や再剥離性の接着剤による粘着強度のように適宜設定することができるものである。
【産業上の利用可能性】
【００３７】
本発明の情報担体は、少なくとも所定の情報を表示させた担体構成紙片が剥離自在に接着される葉書や定型外郵送物、配送物を発行させる場合に適している。
【図面の簡単な説明】
【００３８】
【図１】本発明の第１実施形態に係る情報担体の構成図である。
【図２】図１に示す情報担体の展開状態の説明図である。
【図３】本発明に係る情報担体製造の一例の説明図（１）である。
【図４】本発明に係る情報担体製造の一例の説明図（２）である。
【図５】本発明に係る情報担体の使用例の説明図である。
【図６】本発明に係る情報担体製造の他の製造例の説明図である。
【図７】本発明の第２実施形態に係る情報担体の構成図である。
【符号の説明】
【００３９】
１１，５１          葉書
１２                第１紙片
１３                第２紙片
１４                第３紙片
１５                第４紙片
１５Ａ              切取部
１５Ｂ              ラベル
１６                擬似接着層
１７，１８          接着層
１９                剥離剤層
２４                切取線
【図１】
2005103896.tif 000003
【図２】
2005103896.tif 000004
【図３】
2005103896.tif 000005
【図４】
2005103896.tif 000006
【図５】
2005103896.tif 000007
【図６】
2005103896.tif 000008
【図７】
2005103896.tif 000009